(57)【要約】      （修正有）【課題】内部空間に堆積された収容中のゴミが崩れ、その一部が引き戸の内側にもたれかかり、引き戸を左右に開けた際に、外部に一気に崩れ出てしまったり、引き戸の内側に引っ掛って、引き戸の滑動を妨げてしまうことがない物置タイプのゴミ保管庫を提供する。【解決手段】左右側面及び後方を覆う壁パネルの上縁に屋根材パネルが取り付けられ、前面に開口部が形成された箱形をなしたゴミ保管庫本体の前記開口部４に、横方向に滑動してこの開口部を閉塞する引き戸５を設けると共に、引き戸の内側には手前方向に回動する開き戸１３を枢支した。【選択図】図３
0003208997.tif 000002
【実用新案登録請求の範囲】
【請求項１】
左右側面及び後方を覆う壁パネルの上縁に屋根パネルが取り付けられ、前面に開口部が形成された箱形をなし、前記開口部には横方向に滑動し、この開口部を閉塞する引き戸が設けられていると共に、前記引き戸の内側には、手前方向に回動する開き戸が枢支されていることを特徴とする物置タイプのゴミ保管庫。
【請求項２】
開口部を閉塞する引き戸は左右一対であり、引き戸の内側に設けられている開き戸も左右一対で、開き戸は手前方向に観音開きする様になっていることを特徴とする請求項１記載の物置タイプのゴミ保管庫。
【請求項３】
開口部を閉塞する引き戸及びその内側に設けられた開き戸は共に一枚からなり、開き戸は片開き状態で手前に開く様になっていることを特徴とする請求項１記載の物置タイプのゴミ保管庫。
【考案の詳細な説明】
【技術分野】
【０００１】
この考案はゴミ保管庫、詳しくは物置タイプのゴミ保管庫に関するものである。
【背景技術】
【０００２】
ゴミを自治体や産業廃棄物処理業者などが回収までの間、一時的に保管するゴミ保管庫は、社会上生活上なくてはならない設備であり、集合住宅や公共施設に多く設置されている。
【先行技術文献】
【特許文献】
【０００３】
【特許文献１】なし
【非特許文献】
【０００４】
【非特許文献１】なし
【考案の概要】
【考案が解決しようとする課題】
【０００５】
ゴミ保管庫にはいろいろなタイプのものが存在するが、集合住宅などに設置されているものの多くは、物置タイプのものである。物置タイプのゴミ保管庫の多くは、図１に示す様に、左右及び後方を覆う壁パネル１の上縁及び下縁にそれぞれ屋根パネル２と床パネル３とが取り付けられ、前方が開口した箱形を呈し、この開口部４に左右方向に滑動可能な一対の引き戸５，５が設けられたものであり、内部空間１０にはゴミ１６を分別収納する為の棚６が上下方向に何段か設けられており、その基本的構造は一般的な金属製の組立式物置と同じであった。
【０００６】
しかしながら、この物置タイプのゴミ保管庫においては、内部空間１０にゴミ１６を大量に放り込んだ場合、堆積された収容中のゴミ１６が崩れ、その一部が引き戸５の内側にもたれかかり、引き戸５を左右に開けた際に、外部に一気に崩れ出てしまったり、引き戸５の内側に引っ掛って、引き戸５の滑動を妨げてしまうことがあった。
【０００７】
この様な事態を避ける為には、収容するゴミ１６の量を減らすしかなく、内部空間１０の容積一杯にゴミ１６を収容することは出来ず、効率上問題があった。
【０００８】
本考案は、物置タイプのゴミ保管庫に関するこの様な問題点を解決すべく研究を行った結果、引き戸を開けた際に、収容しているゴミ１６が崩れ出ることがなく、効率よく収容することが出来る便利な物置タイプのゴミ保管庫を開発することに成功し、本考案としてここに提案するものである。
【課題を解決するための手段】
【０００９】
左右側面及び後方を覆う壁パネルの上縁に屋根材パネルが取り付けられ、前面に開口部が形成された箱形をなし、前記開口部には横方向に滑動し、この開口部を閉塞する引き戸が設けられていると共に、前記引き戸の内側には、手前方向に回動する開き戸が枢支されているゴミ保管庫により、上記課題を解決した。
【考案の効果】
【００１０】
ゴミを収容しようとするときは、引き戸を横方向に滑動させて開口部を開口させた後、開き戸を手前に開いて、内部空間を露出させ、この状態において、内部空間にゴミを搬入し、それが完了したなら、開き戸を閉じ、しかるのち、引き戸を滑動させて、開口部を閉塞せしめ、ゴミの収容作業を完了する。
この状態においては、ゴミが収容後に前方に向かって崩れたとしても、開き戸の裏面によって支えられているので、引き戸の滑動の阻げとなることは全くなく、引き戸を横方向に滑動させ、開き戸を露出させ、これを手前に開くことによりゴミを円滑に取り出すことが出来る。
【００１１】
従って、バラ積み状態でゴミを内部空間の容量一杯まで詰め込むことが出来、従来の単なる引き戸だけのゴミ保管庫に比べ、はるかに多くのゴミを収容することが可能となる。又、開き戸は補強部材としての用も兼ねており、開口部が形成されている前面部分の強度を高め、このゴミ保管庫の強度及び耐久性を向上させている。
【図面の簡単な説明】
【００１２】
【図１】従来の物置タイプのゴミ保管庫の代表例の斜視図。
【図２】この考案に係る物置タイプのゴミ保管庫の一実施例の引き戸５を開き、開き戸１３を閉じた状態の斜視図。
【図３】同じく、引き戸５と開き戸１３を共に開けた状態の斜視図。
【図４】同じく、引き戸５と開き戸１３を共に閉じた状態の斜視図。
【図５】この考案に係る物置タイプのゴミ保管庫の他の実施例の引き戸５を開き、開き戸１３を閉じた状態の斜視図。
【図６】同じく、引き戸５と開き戸１３を共に開いた状態の斜視図。
【考案を実施するための形態】
【００１３】
前面開口部を引き戸で閉塞する様になっている物置タイプのゴミ保管庫において、引き戸の内側に、手前に向かって開く開き戸を付設したことに最大の特徴が存する。
【実施例】
【００１４】
図２乃至図４はこの考案に係る物置タイプのゴミ保管庫の一実施例の斜視図であり、この実施例１に係るゴミ保管庫は、長方形をなした床パネル３の四隅から図２では見えない柱が立設されており、この柱間に左右側面及び後方を上方から見て略冂形に覆う壁パネル１，１，１がそれぞれ取り付けられていると共に、これら壁パネル１，１，１の上端には屋根パネル２が取り付けられ、前方に開口部４が形成された箱形をなしている。なお、この実施例においては、床パネル３が用いられているが、床パネル３を用いずに、基礎コンクリート表面をそのまま床として転用したり、外周に土台を配置し、その内側に床材を敷き詰めたりしても良い。
【００１５】
又、図４に示す様に、開口部４の左右には幅の狭い前面パネル８，８がそれぞれ取り付けられていると共に、床パネル１の前縁寄りの位置には、左右に延びた案内溝９が設けられており、この案内溝９に沿って一対の引き戸５，５が左右方向に滑動自在に取り付けられている。
【００１６】
なお、この図２乃至図４に示す実施例においては、引き戸５は左右一対設けられているが、図５及び図６に示す様に、一枚の引き戸５で開口部４の開閉を行う様にしても良い。
又、壁パネル１，１，１で覆われた内部空間１０内の高さ方向でほぼ半分の位置には、左右の壁パネル１，１間に棚板１１が渡されており、この棚板１１の上方にも同様に上部棚板１２が渡されている。
【００１７】
更に、床パネル３上の前記開口部４の両側には、棚板１１の底面位置よりわずかに低い高さを有する左右一対の開き戸１３が枢支されており、図３に示す様に手前に向かって観音開きする様になっている。
【００１８】
この左右一対の開き戸１３，１３は引き戸５，５の内側に設けられており、これを閉じた状態においては引き戸５，５の滑動の障害にならない様になっている。
【００１９】
又、この開き戸１３，１３の自由端１４側には掛け金などの係止具１５が設けられており、開き戸１３，１３の自由端１４，１４側を突き合わせた状態において、自由端１４，１４同士を固定出来る様になっている。
なお、この図２乃至図４に示す実施例においては、開き戸１３は左右一対設けられ、観音開きする様になっているが、図５及び図６に示すものの様に、引き戸５は一板だけも良く、その場合には開き戸１３も一枚となり、片開き状態で手前方向に開く様になっている。
【００２０】
前記図２乃至図４に示す実施例は上記の通りの構成を有するものであり、ゴミ１６を収容しようとするときは、図２に示す様に、引き戸５，５を左右に滑動させて開口部４を開口させた後、図３に示す様に、開き戸１３，１３の自由端１４．１４同士を固定している係止具１５を解除し、開き戸１３，１３を手前に開いて、内部空間１０を露出させる。
【００２１】
この状態において、内部空間１０にゴミ１６を搬入し、それが完了したなら、開き戸１３，１３を回動させて、図２に示す様に、その自由端１４，１４同士を突き当てて、係止具１５を掛けて開き戸１３，１３を閉じる。しかるのち、一対の引き戸５，５を中央に向かって滑動させ、図４に示す様に、引き戸５，５を閉塞せしめ、ゴミ１６の収容作業を完了する。
【００２２】
一方、図５及び図６に示す実施例のものにおいては、一枚だけの引き戸５を前方パネル８側へ横方向にスライドさせて開口部４を開口させた後、開き戸１３を片開き状態で手前に回動させ、内部空間１０を露出させてゴミ１６の搬入を行う。
【００２３】
そして、この状態において、内部空間１０へのゴミ１６の搬入が完了したなら、開き戸１３を回動させて、その自由端１４の係止具１５を掛けて開き戸１３を閉じる。しかるのち、引き戸５を滑動させ、図４に示す様に、開口部４を閉塞せしめ、ゴミ１６の収容作業を完了する。
【００２４】
いずれの実施例においても、棚板１１より下方に収容されているゴミ１６が収容後に前方に向かって崩れたとしても、開き戸１３の裏面によって支えられるので、引き戸５の滑動の阻げとなることは全くなく、引き戸５を横方向に滑動させ、開き戸１３を露出させ、これを手前に開くことによりゴミ１６を円滑に取り出すことが出来る。
【００２５】
従って、棚板１１より下方にバラ積み状態でゴミ１６を内部空間１０の容量一杯まで詰め込むことが出来、従来の単なる引き戸５だけのゴミ保管庫に比べはるかに多くのゴミ１６を収容することが出来る。又、開き戸１３は補強の用も兼ねており、開口部４が形成されている前面部分の強度を高め、このゴミ保管庫の強度及び耐久性を向上させている。
【産業上の利用可能性】
【００２６】
集合住宅や公共施設だけではなく、一般家庭や各種事業所など、ゴミの一時保管を必要とするあらゆる場所において大いに利用価値がある。
【符号の説明】
【００２７】
１．壁パネル
２．屋根パネル
３．床パネル
４．開口部
５．引き戸
６．棚
８．前面パネル
９．案内溝
１０．内部空間
１１．棚板
１２．上部棚板
１３．開き戸
１４．自由端
１５．係止具
１６．ゴミ
【図１】
0003208997.tif 000003
【図２】
0003208997.tif 000004
【図３】
0003208997.tif 000005
【図４】
0003208997.tif 000006
【図５】
0003208997.tif 000007
【図６】
0003208997.tif 000008